(57)【特許請求の範囲】
【請求項１】
周波数特性が測定されるカラオケ歌唱空間に設置されたカラオケ装置であって、
カラオケ歌唱空間の前記周波数特性と、所定の調律に従った音階の各音高の周波数とを比較して、ピーク周波数に対応するピーク音高及びディップ周波数に対応するディップ音高を検出する検出手段と、
カラオケ演奏データが演奏されて歌唱者による歌唱に対して対応のリファレンスデータに基づき所定の採点区間毎に少なくとも音高、音量、タイミングと比較して採点を行うものであり、前記検出されたピーク音高及びディップ音高以外の音高で歌唱された歌唱を採点する第１採点基準、前記ピーク音高またはディップ音高で歌唱された歌唱を第１採点基準とは異なる採点基準により採点する第２採点基準を備える採点手段と、
を有することを特徴とするカラオケ装置。
【請求項２】
請求項１記載のカラオケ装置であって、前記採点手段は、前記第１採点基準では少なくとも歌唱の音高、音量、タイミングを所定の歌唱区間毎に対応のリファレンスデータと比較することにより歌唱を採点し、前記第２採点基準では少なくとも歌唱の音高、タイミングを所定の歌唱区間毎に当該リファレンスデータと比較することにより歌唱を採点し、音量については評価の対象外とすることを特徴とするカラオケ装置。
【請求項３】
請求項１記載のカラオケ装置であって、前記採点手段は、第１採点基準では少なくとも歌唱の音高、音量、タイミングを所定の歌唱区間毎に対応のリファレンスデータと比較することにより歌唱を採点し、第２の採点基準では少なくとも歌唱の音高、タイミングを所定の歌唱区間毎に当該リファレンスデータと比較することにより歌唱を採点し、前記検出したピーク音高の歌唱の音量がリファレンスデータの音量より小さい場合にはリファレンスデータ通りの音量で歌唱されたものとして採点し、前記検出したディップ音高の歌唱の音量が当該リファレンスデータの音量より大きい場合にはリファレンスデータ通りの音量で歌唱されたものとして採点することを特徴とするカラオケ装置。
【発明の詳細な説明】
【技術分野】
【０００１】
本発明は、歌唱者の歌唱を採点する採点機能を少なくとも備えるカラオケ装置に関する。
【背景技術】
【０００２】
近年、カラオケ装置の高性能化に伴い、高度な採点技術を搭載したものも一般化し、一方で、カラオケルームが各地で多々開設されており、各カラオケルームなどのカラオケ歌唱空間は内部形状、カラオケ装置の設置位置、内装品によって固有の周波数特性（音響特性）を有し、特に歌唱者の位置においてピーク周波数やディップ周波数と重なる歌唱音高があると、歌唱採点に影響を与えることから、当該音響特性に応じた採点処理が必要となる。
【０００３】
従来、カラオケ演奏に合わせた利用者の歌唱を評価し、採点結果やランキングを表示するサービスが普及している。例えば、特許文献１には、マイクロホンに入力された歌唱音声信号をデジタル信号に変換し、信号処理により微小な歌唱区間毎に音高、音量、タイミングを検出し、歌唱すべき旋律（リファレンス）データと比較することにより歌唱を採点するカラオケ装置が開示されている。
【先行技術文献】
【特許文献】
【０００４】
【特許文献１】特開平１０−０７８７４９号公報
【発明の概要】
【発明が解決しようとする課題】
【０００５】
ところで、カラオケルームなどのカラオケ歌唱空間は、必ず固有の周波数特性を持っており、他の周波数より音量が大きくなるピーク周波数や、他の周波数より音量が小さくなるディップ周波数が存在する場合がある。この場合、歌唱者の立ち位置において特定の歌唱音高と重なるピーク周波数が存在すると、歌唱者は当該音高の歌唱を他の音高よりも大きな音量で聴くことになるため、当該音高の音量を抑えて歌唱しようとし、特にピーク周波数と重なる音高でロングトーンの歌唱がある場合、その傾向は顕著になる。その結果、スピーカから放音される歌唱音声の音量は適正であっても、上記特許文献１に開示されているような採点処理では、マイクロホンに直接入力される歌唱音声の音量をリファレンス音量と比較するため、適正な音量に満たないと評価され、採点結果が不当に悪くなってしまうという問題がある。
【０００６】
また、逆に、歌唱者の立ち位置において特定の歌唱音高と重なるディップ周波数が存在すると、歌唱者は当該音高の歌唱を他の音高よりも小さな音量で聴くことになるため、当該音高の音量を大きく歌唱しようとし、特にディップ周波数と重なる音高でロングトーンの歌唱がある場合、その傾向は顕著になる。その結果、スピーカから放音される歌唱音声の音量は適正であっても、マイクロホンに直接入力される歌唱音声の音量をリファレンス音量と比較するため、適正な音量を超えていると評価され、採点結果が不当に悪くなってしまうという問題がある。
【０００７】
そこで、本発明は上記課題に鑑みなされたもので、カラオケ歌唱空間の周波数特性に起因する歌唱採点の悪影響を回避するカラオケ装置を提供することを特徴とする。
【課題を解決するための手段】
【０００８】
上記課題を解決するために、請求項１の発明では、周波数特性が測定されるカラオケ歌唱空間に設置されたカラオケ装置であって、カラオケ歌唱空間の前記周波数特性と、所定の調律に従った音階の各音高の周波数とを比較して、ピーク周波数に対応するピーク音高及びディップ周波数に対応するディップ音高を検出する検出手段と、カラオケ演奏データが演奏されて歌唱者による歌唱に対して対応のリファレンスデータに基づき所定の採点区間毎に少なくとも音高、音量、タイミングと比較して採点を行うものであり、前記検出されたピーク音高及びディップ音高以外の音高で歌唱された歌唱を採点する第１採点基準、前記ピーク音高又はディップ音高で歌唱された歌唱を第１採点基準とは異なる採点基準により採点する第２採点基準を備える採点手段と、を有する構成とする。
【０００９】
請求項２、３の発明では、「前記採点手段は、前記第１採点基準では少なくとも歌唱の音高、音量、タイミングを所定の歌唱区間毎に対応のリファレンスデータと比較することにより歌唱を採点し、前記第２採点基準では少なくとも歌唱の音高、タイミングを所定の歌唱区間毎に当該リファレンスデータと比較することにより歌唱を採点し、音量については評価の対象外とする」構成とし、
「前記採点手段は、第１採点基準では少なくとも歌唱の音高、音量、タイミングを所定の歌唱区間毎に対応のリファレンスデータと比較することにより歌唱を採点し、第２の採点基準では少なくとも歌唱の音高、タイミングを所定の歌唱区間毎に当該リファレンスデータと比較することにより歌唱を採点し、前記検出したピーク音高の歌唱の音量がリファレンスデータの音量より小さい場合にはリファレンスデータ通りの音量で歌唱されたものとして採点し、前記検出したディップ音高の歌唱の音量が当該リファレンスデータの音量より大きい場合にはリファレンスデータ通りの音量で歌唱されたものとして採点する」構成とする。
【発明の効果】
【００１０】
本発明によれば、カラオケ歌唱空間の周波数特性と所定の調律に従った音階の各音高の周波数とを比較して、ピーク周波数に対応するピーク音高及びディップ周波数に対応するディップ音高を検出し、当該ピーク音高及びディップ音高以外の音高で歌唱された歌唱を第１採点基準で採点し、当該ピーク音高またはディップ音高で歌唱された歌唱を第１採点基準とは異なる採点基準の第２採点基準で採点する構成とすることにより、歌唱に対するピーク周波数やディップ周波数での減点が避けられ、カラオケ歌唱空間の周波数特性に起因する歌唱採点の悪影響を回避することができ、採点結果を歌唱者や聴者が聴取したイメージに近づけることができるものである。
【図面の簡単な説明】
【００１１】
【図１】本発明に係るカラオケ装置のブロック構成図である。
【図２】カラオケ歌唱空間の周波数特性の説明図である。
【図３】図２の周波数特性測定からピーク音高及びディップ音高を特定するフローチャートである。
【図４】図２の周波数特性測定からピーク音高及びディップ音高を特定する説明図である。
【図５】図１の採点手段における第１実施形態のフローチャートである。
【図６】図１の採点手段における第２実施形態のフローチャートである。
【発明を実施するための形態】
【００１２】
以下、本発明の実施形態を図により説明する。
図１に本発明に係るカラオケ装置のブロック構成図を示すとともに、図２にカラオケ歌唱空間の周波数特性の説明図を示す。図１において、各カラオケ装置１１は、主要装置としてのカラオケ本体１２に、有線又は無線で外部接続されるものとして、表示部１３、ミキシングアンプ１４、集音手段であるマイクロホン１５、スピーカ１６、遠隔入出力装置１７が接続される。ミキシングアンプ１４及びスピーカ１６で放音手段が構成される。
【００１３】
上記表示部１３は、通常の楽曲選曲表示やカラオケ演奏時の背景映像、歌唱者の歌唱を採点した結果等を表示するもので、例えば液晶ディスプレイ（ＬＣＤ）、プラズマディスプレイ（ＰＤＰ）、その他種々のディスプレイを採用することができる。上記ミキシングアンプ１４は、カラオケ本体１２より送られてくる音楽演奏信号（測定用カラオケ演奏データを含む）に、マイクロホン１５で集音された信号を設定されたミキシングレベルでミキシングし、増幅してスピーカ１６より出力する。
【００１４】
ここでは、ミキシングアンプ１４は、いわゆるデジタルミキサであり、ミキシング処理、イコライジング処理、エフェクト処理を行うＤＳＰ（Ｄｉｇｉｔａｌ  Ｓｉｇｎａｌ  Ｐｒｏｃｅｓｓｏｒ）を備え、スピーカ１６のライン系統にはＤ／Ａ変換部、増幅部が設けられ、マイクロホン１５のライン系統にはＡ／Ｄ変換部が設けられる。当該Ａ／Ｄ変換部からの出力はＤＳＰの入力用バスに入力されると共に、カラオケ本体１２の採点手段２８に入力されるものである。
【００１５】
上記遠隔入出力装置１７は、図示しない端末送受信部により、カラオケ本体１２に対して有線方式ないし無線方式（ＩＲ方式やブルートゥース（登録商標）機構のピコネット接続方式など）を利用してデータ授受を行うためのもので、少なくとも楽曲検索手段である選曲楽曲登録手段１７Ａを適宜備える。当該選曲楽曲登録手段１７Ａは、楽曲を検索させ、選曲させるテーブルを備えて選曲された楽曲をカラオケ本体１２における予約待ち行列４１に登録するプログラムである。
【００１６】
上記カラオケ本体１２は、バス２０、中央制御部２１、ＲＯＭ２２、ＲＡＭ２３、映像表示制御手段２４、音楽演奏制御部２５、音源（シンセサイザ）２６、送受信部２７、採点手段２８、記憶部３０、測定手段としての周波数特性測定手段３１及び検出手段としての音響特性検出手段３２を適宜備える。上記ＲＡＭ２３には予約待ち行列４１の記憶領域が適宜形成される。また、記憶部３０には、楽曲データベース（楽曲ＤＢ）５１、映像データベース（映像ＤＢ）５２、リファレンスデータベース（リファレンスＤＢ）５３及びピーク音高及びディップ音高を一つの情報とした音響特性５４が記憶される。なお、上記各構成について、本発明の要旨と直接関連しない要素部分であっても、従前のカラオケシステムにおいても大部分が適用可能であることを示すために、構成要素の全体を説明する。
【００１７】
上記中央制御部２１は、このシステムを統括的に処理制御する物理的なＣＰＵであり、ＲＯＭ２２に記憶されているプログラムに基づくアルゴリズム処理を行う。上記ＲＡＭ２３は、少なくとも予約待ち行列４１の記憶領域が形成される他に、上記種々のプログラムを展開、実行させるための作業領域としての役割をなすもので、例えば半導体メモリで構成され、仮想的にハードディスク上に構築される場合をも含む概念である。
【００１８】
上記映像表示制御手段２４は、演奏時に、映像ＤＢ５２より抽出された背景映像及び楽曲ＤＢ５１より抽出された楽曲の歌詞データを表示部１３に出力するプログラム乃至電子回路である。また、映像表示制御手段２４は、演奏時及び演奏後に上記採点手段２８により歌唱を採点した結果を表示部１３に出力する。上記音楽演奏制御部２５は、例えばシーケンスプログラムを備え、楽曲ＩＤで楽曲ＤＢ５１より抽出された音符データに従って音源（シンセサイザ）２６を駆動するもので、当該音源２６の出力は演奏信号としてミキシングアンプ１４に出力される。
【００１９】
上記送受信部２７は、遠隔入出力装置１７との間で有線方式ないし無線方式（ＩＲ方式やブルートゥース（登録商標）機構のピコネット接続方式など）を利用してデータ授受を行うためのもので、そのための電子回路及びプログラムである。
【００２０】
上記採点手段２８は、所定の歌唱区間毎に、利用者による歌唱音声のピッチ，音量、タイミング（リズム）を検出して後述のリファレンスデータの少なくとも音高、音量、タイミングと比較することにより採点するプログラムであり、マイクロホン１５からの歌唱音声信号がミキシングアンプ１４をスルーしてデジタル変換された歌唱音声信号に対して歌唱採点するためのリファレンスデータに基づいて採点処理を行う。具体的には、例えば特許第４２２２９１５号公報に記載されている手法を用いることができる。
【００２１】
また、採点処理においては、第１採点基準及び第２採点基準を備える。後述の音響特性検出手段３２で検出されて記憶部３０に記憶された音響特性４２のピーク音高及びディップ音高に基づいて、第１採点基準では、ピーク音高及びディップ音高以外の音高で歌唱された歌唱を採点し、第２採点基準では、ピーク音高又はディップ音高で歌唱された歌唱を第１採点基準とは異なる採点基準により採点する。
【００２２】
具体的には、第１採点基準では少なくとも歌唱の音高、音量、タイミングを所定の歌唱区間毎に対応のリファレンスデータと比較することにより歌唱を採点し、第２採点基準では少なくとも歌唱の音高、タイミングを所定の歌唱区間毎に当該リファレンスデータと比較することにより歌唱を採点し、音量については評価の対象外とする。
【００２３】
若しくは、第１採点基準では少なくとも歌唱の音高、音量、タイミングを所定の歌唱区間毎に対応のリファレンスデータと比較することにより歌唱を採点し、第２の採点基準では少なくとも歌唱の音高、タイミングを所定の歌唱区間毎に当該リファレンスデータと比較することにより歌唱を採点し、ピーク音高の歌唱の音量がリファレンスデータの音量より小さい場合にはリファレンスデータ通りの音量で歌唱されたものとして採点し、ディップ音高の歌唱の音量が当該リファレンスデータの音量より大きい場合にはリファレンスデータ通りの音量で歌唱されたものとして採点する。
【００２４】
なお、上記採点対象として、音高、音量、タイミングを要素としたが、適宜、歌唱に際して種々の歌唱技法を周波数などでデータ化した技法データ（ビブラート情報、抑揚情報、ロングトーン情報、走り情報、ため情報、こぶし情報、しゃくり情報、フォール情報、シャウト情報など）をも加えて採点処理してもよい。
【００２５】
上記記憶部３０に記憶されている楽曲ＤＢ５１は、楽曲毎に、音符データ、歌詞データなどを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）等で構成される楽曲データ（ファイル）について当該楽曲ＩＤをファイル名としてそれぞれ格納したデータベースである。上記記憶部３０に記憶されている映像ＤＢ５２は、楽曲毎に応じた背景映像データについて楽曲ＩＤをファイル名としてそれぞれ格納したデータベースである。
【００２６】
上記記憶部３０に記憶されているリファレンスＤＢ５３は、上記楽曲ＤＢ５１に記憶されているカラオケ楽曲と当該カラオケ楽曲の所定の歌唱区間に合わせた歌唱者による歌唱を評価、分析するための評価基準として用いられるリファレンスデータとを紐付けて記憶するデータベースである。上記記憶部３０に記憶される音響特性５４は、後述する音響特性検出手段３２により検出した、当該カラオケ装置１１が設置されたカラオケ歌唱空間のピーク音高及びディップ音高を一つの情報としたものである。
【００２７】
上記周波数特性測定手段３１は、カラオケルームなどのカラオケ歌唱空間の周波数特性を測定するプログラム乃至電子機器である。測定には種々の公知技術を適用することができ、そのための詳細な構成は省略する。例えば、特開２０００−３１６１９９号公報に記載されている技術を適用すると、ホワイトノイズをスピーカ１６から放音し、歌唱位置に設置されたマイクロホン１５で集音して平均レベル（Ｌｒ）に対する周波数特性を測定することができる。測定されたカラオケ歌唱空間の周波数測定の一例が図２に示される。なお、周波数特性の測定はカラオケ歌唱空間（カラオケルーム）毎に一度でよいが、定期的に測定し直してもよい。
【００２８】
上記音響特性検出手段３２は、周波数特性測定手段３１で測定したカラオケ歌唱空間の周波数特性よりピーク周波数Ｆｐ及びディップ周波数Ｆｄを特定し、当該ピーク周波数Ｆｐ及びディップ周波数Ｆｄと、所定の調律（マスタチューニング）に従った音階の各音高の周波数とを比較して、ピーク周波数に対応するピーク音高Ｎｐ及びディップ周波数Ｆｄに対応するディップ音高Ｎｄを検出し、当該ピーク音高Ｎｐ及びディップ音高Ｎｄを記憶部３０の音響特性５４に一つの特性情報として記憶するプログラムである。詳細は図３及び図４で説明する。
【００２９】
なお、周波数特性測定手段３１で測定したカラオケ歌唱空間の周波数特性において、ピーク周波数Ｆｐ及びディップ周波数Ｆｄがそれぞれ一つもない場合もあれば、複数存在する場合もある。それぞれ一つもない場合にはピーク音高Ｎｐ、ディップ音高Ｎｄは特定されず、また、複数存在する場合には総てのピーク周波数Ｆｐ及びディップ周波数Ｆｄを対象としてピーク音高Ｎｐ、ディップ音高Ｎｄを検出する。一方、カラオケ歌唱空間の周波数特性にピーク周波数Ｆｐ及びディップ周波数Ｆｄが存在しても、ピーク音高Ｎｐ及びディップ音高Ｎｄがそれぞれ一つも検出されない場合もあれば、複数存在する場合もある。
【００３０】
また、周波数特性測定手段３１において、カラオケ歌唱空間（カラオケルーム）の周波数特性の測定をし直した場合には、その都度、測定し直した周波数特性に基づいてピーク音高Ｎｐ、ディップ音高Ｎｄを検出して記憶部３０の音響特性５４を更新する。
【００３１】
そこで、図３に図２の周波数特性測定からピーク音高及びディップ音高を特定するフローチャートを示すと共に、図４に図２の周波数特性測定からピーク音高及びディップ音高を特定する説明図を示す。ここでは、当該カラオケ装置１１が設置されたカラオケルームなどのカラオケ歌唱空間の図２に示すような周波数特性が上記周波数特性測定手段３１により測定されていることを前提とする。なお、図２において、ディップ及びピークと予測される周波数以外の周波数の音量については単純化してある。
【００３２】
図３において、音響特性検出手段３２が、一般的な利用者が歌唱可能な範囲の音高、例えばバリトン（男声）の最低音高のＧ２からメゾソプラノ（女声）の最高音高Ｇ５までの３オクターブの音階、すなわち３７個の各音高Ｇ２，Ｇ＃２，Ａ２，・・・，Ｆ５，Ｆ＃５，Ｇ５について、所定の調律、例えば図４（Ａ）に示すように、Ａ４＝４４２Ｈｚとした調律（マスタチューニング）に基づいた周波数ｆＧ２，ｆＧ＃２，ｆＡ２，・・・，ｆＦ５，ｆＦ＃５，ｆＧ５を求める（ステップ１（Ｓ１））。
【００３３】
また、上記周波数特性測定手段３１で測定された周波数特性（図２）を取得し、図４（Ｂ）に示すように、当該周波数特性に対して、平均レベルＬｒより所定値β以上レベルの大きい周波数をピーク周波数Ｆｐ、所定値α以上レベルの小さい周波数をディップ周波数Ｆｄとして求める（Ｓ２）。なお、Ｓ１とＳ２の処理順序は何れが先であってもよい。上記ピーク周波数Ｆｐ及びディップ周波数Ｆｄの何れもが存在しなければピーク音高Ｎｐ、ディップ音高Ｎｄの特定は行われず、終了する（Ｓ３）。また、ピーク周波数Ｆｐ及びディップ周波数Ｆｄのうち、いずれかが存在しないときにも、存在しないピーク周波数Ｆｐ又はディップ周波数Ｆｄについてのピーク音高Ｎｐ、ディップ音高Ｎｄの特定は行われず、終了する（Ｓ４−１、Ｓ４−２）。
【００３４】
一方、ピーク周波数Ｆｐ及びディップ周波数Ｆｄの何れか又は両方が存在する場合（Ｓ４−１、Ｓ４−２）、図４（Ｃ）に示すように、図４（Ａ）のマスタチューニングした各音高のそれぞれの周波数を中心とする所定幅（例えば±１０ｃｅｎｔ以内）の周波数に、上記ピーク周波数Ｆｐ及び／又はディップ周波数Ｆｄが含まれるか否かをそれぞれ判定し、ピーク周波数Ｆｐを含む周波数帯に対応する音高をピーク音高Ｎｐ、ディップ周波数Ｆｄを含む周波数帯に対応する音高をディップ音高Ｎｄとして特定する（Ｓ５）。
【００３５】
ここでは、それぞれ一つのピーク周波数Ｆｐ及びディップ周波数Ｆｄが存在する場合として、図４（Ｄ）に示すように、例えばｆＣ５−１０ｃｅｎｔ≦Ｆｐ≦ｆＣ５＋１０ｃｅｎｔであれば、「Ｃ５（５２６Ｈｚ）」をピーク音高Ｎｐと特定し、ｆＧ４−１０ｃｅｎｔ≦Ｆｄ≦ｆＧ４＋１０ｃｅｎｔであれば、「Ｇ４（３９４Ｈｚ）」をディップ音高Ｎｄと特定する。
【００３６】
そして、特定したピーク音高Ｎｐ、ディップ音高Ｎｄを記憶部３０の音響特性５４の一つの特性情報として記憶するものである（Ｓ６）。
【００３７】
続いて、図５に、図１の採点手段における第１実施形態のフローチャートを示す。ＲＡＭ２３の予約待ち行列４１に登録された楽曲が演奏されると、マイクロホン１５からの歌唱音声信号がミキシングアンプ１４をスルーしてデジタル変換された歌唱音声信号として採点手段２８に入力されて採点処理が行われる。
【００３８】
図５（Ａ）において、採点手段２８は、演奏楽曲のリファレンスデータを記憶部３０のリファレンスＤＢ５３より読み出すと共に、音響特性５４よりピーク音高Ｎｐ及びディップ音高Ｎｄを読み出し、上記歌唱音声信号を順次取得する（Ｓ１１）。
【００３９】
取得した歌唱音声信号において、上記ピーク音高Ｎｐ及びディップ音高Ｎｄに該当しない、すなわちピーク音高Ｎｐ及びディップ音高Ｎｄ以外での歌唱については（Ｓ１２）、第１採点基準で採点処理する（Ｓ１３−１）。また、取得した歌唱音声信号において、上記ピーク音高Ｎｐ及びディップ音高Ｎｄに該当する歌唱については（Ｓ１２）、第２採点基準で採点処理する（Ｓ１３−２）。
【００４０】
上記第１採点基準での採点処理は、図５（Ｂ）に示すように、歌唱の音高、音量、リズム（タイミング）をリファレンスデータと比較して採点する（Ｓ２１）。また、上記第２採点基準での採点処理は、図５（Ｃ）に示すように、歌唱の音高、リズムをリファレンスデータと比較して採点する（Ｓ３１）。すなわち、歌唱の音量については採点対象とせずに、音量による減点は行われない。
【００４１】
そして、歌唱終了後に、歌唱区間毎の採点を集計して採点結果を作成し（Ｓ１４）、表示部１３での表示や、歌唱履歴として例えばサーバの利用者情報に記憶させるものである。このようにして、リファレンスデータ通りの音量で歌唱することが困難であるピーク音高及びディップ音高について、その歌唱が不適切に減点されないようにすることができる。
【００４２】
次に、図６に、図１の採点手段における第２実施形態のフローチャートを示す。図６（Ａ）、（Ｂ）は、採点手段２８における第２採点基準を対象とした採点処理を示したもので、図６（Ａ）において、取得した歌唱音声信号において、上記ピーク音高Ｎｐ及びディップ音高Ｎｄが該当する歌唱に対し、歌唱の音高、音量、リズムをリファレンスデータと比較して採点する（Ｓ４１）。
【００４３】
具体的には、図６（Ｂ）において、歌唱の音高、音量、リズムをリファレンスデータと比較する際に、ピーク音高Ｎｐの歌唱音量とリファレンス音量とを比較し（Ｓ５１−１）、ピーク音高Ｎｐの歌唱音量がリファレンス音量より小さい場合には（Ｓ５２−１）、リファレンス音量通りに歌唱されたものとして採点し（Ｓ５３−１）、ピーク音高Ｎｐの歌唱音量がリファレンス音量より大きい場合には（Ｓ５２−１）、第１採点基準でリファレンス音量との差分で採点処理を行う（Ｓ５３−２）。
【００４４】
また、歌唱の音高、音量、リズムをリファレンスデータと比較する際に、ディップ音高Ｎｄの歌唱音量とリファレンス音量とを比較し（Ｓ５１−２）、ディップ音高Ｎｄの歌唱音量がリファレンス音量より大きい場合には（Ｓ５２−２）、リファレンス音量通りに歌唱されたものとして採点し（Ｓ５３−３）、ディップ音高Ｎｄの歌唱音量がリファレンス音量より小さい場合には（Ｓ５２−２）、第１採点基準でリファレンス音量との差分で採点処理を行うものである（Ｓ５３−４）。このようにして、他の音高より大きな音量で聴取されるピーク音高の歌唱に際して歌唱者が抑え気味に歌唱した場合や、他の音高より小さな音量で聴取されるディップ音高の歌唱に際して歌唱者が強めに歌唱した場合については、適切な歌唱音量であると判断し、当該音高の歌唱が適切に評価されるようにすることができる。
【００４５】
このように、歌唱に対するピーク周波数やディップ周波数での減点が避けられ、カラオケ歌唱空間の周波数特性に起因する歌唱採点の悪影響を回避することができ、また、採点結果を歌唱者や聴者が聴取したイメージに近づけることができるものである。
【産業上の利用可能性】
【００４６】
本発明のカラオケ装置は、カラオケの採点機能を含む基本的機能を備えるカラオケ装置の産業分野に利用可能である。
【符号の説明】
【００４７】
１１            カラオケ装置
１２            カラオケ本体
１４            ミキシングアンプ
１５            マイクロホン
１６            スピーカ
２５            音楽演奏制御部
２８            採点手段
３０            記憶部
３１            周波数特性測定手段
３２            音響特性検出手段
４１            予約待ち行列
５１            楽曲ＤＢ
５３            リファレンスＤＢ
５４            音響特性
【図１】
0006308915.tif 000002
【図２】
0006308915.tif 000003
【図３】
0006308915.tif 000004
【図４】
0006308915.tif 000005
【図５】
0006308915.tif 000006
【図６】
0006308915.tif 000007